(57)【要約】【課題】絞り羽根やシャッタ羽根を有する光量調節装置の径方向での大型化を抑え、光軸方向でのコンパクト化を図る。【解決手段】光量調節装置１０（図１）は、光通過開口１２，１３，２８を通過する光の量を増減させるための絞り部３ａおよび被支持部３ｂを有する絞り羽根３と、光通過開口における光の通過を遮断するためのシャッタ部２１ａおよび被支持部２１ｂを有するシャッタ羽根２１とを有する。絞り羽根およびシャッタ羽根において、それぞれの被支持部に対して絞り部およびシャッタ部が光軸方向に離れて位置するように、該各被支持部が開口面Ｐに対して光軸方向における同じ側への傾きα，βを有する。また、駆動部材２がその外周側から内周側にかけて一方の側に凹んだ形状を有する。これにより、絞り羽根、駆動部材およびシャッタ羽根よりも径方向における内側に光通過開口に面した凹空間Ｓが形成される。【選択図】図１
2013005439.tif 000002
【特許請求の範囲】
【請求項１】
光通過開口を有する光量調節装置であって、
ベース部材と、
前記光通過開口を通過する光の量を増減させるための絞り部および前記ベース部材に対して回動可能に支持された被支持部を有する絞り羽根と、
それぞれ前記光通過開口における光の通過を遮断するためのシャッタ部および前記ベース部材に対して回動可能に支持された被支持部を有するシャッタ羽根と、
前記シャッタ羽根と前記絞り羽根との間に配置され、前記ベース部材に対して前記光通過開口の周囲で回転することにより前記絞り羽根を回動させる駆動部材とを有し、
前記光通過開口の開口面に直交する方向を光軸方向とし、該光軸方向に対して直交する方向を径方向とするとき、
前記絞り羽根および前記シャッタ羽根において、それぞれの前記被支持部に対して前記絞り部および前記シャッタ部が前記光軸方向に離れて位置するように、該各被支持部が前記開口面に対して前記光軸方向における同じ一方の側への傾きを有し、かつ前記駆動部材がその外周側から内周側にかけて前記一方の側に凹んだ形状を有することにより、前記絞り羽根、前記シャッタ羽根および前記駆動部材よりも前記径方向の内側に前記光通過開口に面した凹空間が形成されていることを特徴とする光量調節装置。
【請求項２】
前記シャッタ羽根として、第１のシャッタ羽根と第２のシャッタ羽根とを有し、
前記第１および第２のシャッタ羽根はそれぞれ、前記被支持部から前記シャッタ部に向かって前記開口面に対する前記傾きが小さくなるように曲面形状または折れ曲がり形状を有し、前記第１のシャッタ羽根は、前記第２のシャッタ羽根に対して、前記凹空間とは反対側にて重なるように配置されており、
前記第１のシャッタ羽根における前記曲面形状の曲率または前記折れ曲がり形状の折れ曲がり角が、前記第２のシャッタ羽根における該曲率または該折れ曲がり角よりも大きいことを特徴とする請求項１に記載の光量調節装置。
【請求項３】
前記凹空間の側から前記一方の側に向かって順に、前記シャッタ羽根と前記駆動部材と前記絞り羽根とが配置されており、
前記絞り羽根には、カム溝部が形成され、
前記駆動部材には、前記カム溝部に係合して該駆動部材の回転により前記絞り羽根を回動させるためのカムボス部が形成されており、
前記カムボス部における前記一方の側の先端が、前記絞り羽根の回動位置にかかわらず、前記絞り部における前記一方の側の先端よりも該一方の側とは反対側に退避していることを特徴とする請求項１または２に記載の光量調節装置。
【請求項４】
前記駆動部材を回転させるアクチュエータを含む駆動部を有し、
前記駆動部は、前記ベース部材から前記一方の側に突出するように、該ベース部材に取り付けられていることを特徴とする請求項１から３のいずれか１項に記載の光量調節装置。
【請求項５】
前記絞り羽根および前記シャッタ羽根のそれぞれの前記被支持部は、前記光軸方向に対して傾いた軸回りで回動することを特徴とする請求項１から４のいずれか１項に記載の光量調節装置。
【請求項６】
光通過開口を有する光量調節装置であって、
ベース部材と、
前記光通過開口を通過する光の量を増減させるための絞り部および前記ベース部材に対して回動可能に支持された被支持部を有する絞り羽根と、
それぞれ前記光通過開口における光の通過を遮断するためのシャッタ部および前記ベース部材に対して回動可能に支持された被支持部を有する第１のシャッタ羽根および第２のシャッタ羽根とを有し、
前記光通過開口の開口面に直交する方向を光軸方向とし、該光軸方向に対して直交する方向を径方向とするとき、
前記絞り羽根、前記第１のシャッタ羽根および前記第２のシャッタ羽根において、それぞれの前記被支持部に対して前記絞り部および前記シャッタ部が前記光軸方向に離れて位置するように、該各被支持部が前記開口面に対して前記光軸方向における同じ一方の側への傾きを有することにより、前記絞り羽根、前記第１のシャッタ羽根および前記第２のシャッタ羽根よりも前記径方向の内側に前記光通過開口に面した凹空間が形成され、
前記第１および第２のシャッタ羽根はそれぞれ、前記被支持部から前記シャッタ部に向かって前記開口面に対する前記傾きが小さくなるように曲面形状または折れ曲がり形状を有し、前記第１のシャッタ羽根は、前記第２のシャッタ羽根に対して、前記凹空間とは反対側にて重なるように配置されており、
前記第１のシャッタ羽根における前記曲面形状の曲率または前記折れ曲がり形状の折れ曲がり角が、前記第２のシャッタ羽根における該曲率または該折れ曲がり角よりも大きいことを特徴とする光量調節装置。
【請求項７】
前記凹空間の側から前記一方の側に向かって順に、前記第１および第２のシャッタ羽根と、前記ベース部材に対して前記光通過開口の周囲で回転することにより前記絞り羽根を回動させる駆動部材と、前記絞り羽根とが配置され、
前記絞り羽根には、カム溝部が形成され、
前記駆動部材には、前記カム溝部に係合して該駆動部材の回転により前記絞り羽根を回動させるためのカムボス部が形成されており、
前記カムボス部における前記一方の側の先端が、前記絞り羽根の回動位置にかかわらず、前記絞り部における前記一方の側の先端よりも該一方の側とは反対側に退避していることを特徴とする請求項６に記載の光量調節装置。
【請求項８】
前記駆動部材を回転させるアクチュエータを含む駆動部を有し、
前記駆動部は、前記ベース部材から前記一方の側に突出するように、該ベース部材に取り付けられていることを特徴とする請求項６または７に記載の光量調節装置。
【請求項９】
前記絞り羽根と前記第１および第２のシャッタ羽根のそれぞれの前記被支持部は、前記光軸方向に対して傾いた軸回りで回動することを特徴とする請求項６から８のいずれか１項に記載の光量調節装置。
【請求項１０】
光通過開口を有する光量調節装置であって、
ベース部材と、
前記光通過開口を通過する光の量を調節するための光量調節部および前記ベース部材に対して回動可能に支持された被支持部を備えた光量調節羽根と、
前記ベース部材に対して前記光通過開口の周囲で回転することにより前記光量調節羽根を回動させる駆動部材とを有し、
前記光通過開口の開口面に直交する方向を光軸方向とし、前記光通過開口の径に沿った方向を径方向とするとき、
前記光量調節羽根において前記光量調節部が前記被支持部に対して前記光軸方向に離れて位置するように前記被支持部が前記開口面に対して前記光軸方向における一方の側への傾きを有し、かつ前記駆動部材がその外周側から内周側にかけて前記一方の側に凹んだ形状を有することにより、前記光量調節羽根および前記駆動部材よりも前記径方向の内側に、前記光通過開口に面した凹空間が形成されていることを特徴とする光量調節装置。
【請求項１１】
前記凹空間の側から前記一方の側に向かって順に、前記駆動部材と前記光量調節羽根とが配置され、
前記光量調節羽根には、カム溝部が形成され、
前記駆動部材には、前記カム溝部に係合して該駆動部材の回転により前記光量調節羽根を回動させるためのカムボス部が形成されており、
前記カムボス部における前記一方の側の先端が、前記光量調節羽根の回動位置にかかわらず、前記光量調節部における前記一方の側の先端よりも該一方の側とは反対側に退避していることを特徴とする請求項１０に記載の光量調節装置。
【請求項１２】
前記光量調節羽根は、前記被支持部から前記光量調節部に向かって前記開口面に対する前記傾きが小さくなるように曲面形状または折れ曲がり形状を有することを特徴とする請求項１０または１１に記載の光量調節装置。
【請求項１３】
前記被支持部は、前記光軸方向に対して傾いた軸回りで回動することを特徴とする請求項１０から１２のいずれか１項に記載の光量調節装置。
【請求項１４】
前記光量調節羽根を複数有し、これら複数の光量調節羽根を回動させて前記光通過開口の大きさを変化させることにより前記光の量を調節することを特徴とする請求項１０から１３のいずれか１項に記載の光量調節装置。
【請求項１５】
前記光量調節部に絞り開口が形成された１枚の前記光量調節羽根を有し、該光量調節羽根を回動させて前記絞り開口を前記光通過開口に対して移動させることにより前記光の量を調節することを特徴とする請求項１０から１３のいずれか１項に記載の光量調節装置。
【請求項１６】
前記光量調節部がＮＤフィルタにより形成された前記光量調節羽根を有しており、該光量調節羽根を回動させて前記ＮＤフィルタを前記光通過開口に対して移動させることにより前記光の量を調節することを特徴とする請求項１０から１３のいずれか１項に記載の光量調節装置。
【請求項１７】
前記駆動部材を回転させるアクチュエータを含む駆動部を有し、
前記駆動部は、前記ベース部材から前記一方の側に突出するように、該ベース部材に取り付けられていることを特徴とする請求項１０から１６のいずれか１項に記載の光量調節装置。
【請求項１８】
請求項１から１７のいずれか１項に記載の光量調節装置およびレンズを含む光学系を有し、
前記レンズの少なくとも一部が前記凹空間の内部に入り込むことを有することを特徴する光学機器。
【発明の詳細な説明】
【技術分野】
【０００１】
本発明は、デジタルカメラ、ビデオカメラおよび交換レンズ等の光学機器に搭載される絞り機能およびシャッタ機能のうち少なくとも一方を有する光量調節装置に関する。
【背景技術】
【０００２】
カメラ等の光学機器にはコンパクト性が求められ、特に撮影レンズを保持するレンズ鏡筒がカメラボディから光軸方向に突出する場合には、該レンズ鏡筒の光軸方向での長さをできるだけ短縮することが求められている。特許文献１には、カメラの使用時（撮影時）にはカメラボディから突出し、カメラの非使用時（携帯時）においてはカメラボディ内に収納される（沈胴する）、いわゆる沈胴式レンズ鏡筒を有するカメラが開示されている。このカメラでは、光量調節装置としての絞りとレンズとが光軸方向において隣接配置され、沈胴状態にて絞り開口内に該レンズの一部が入り込むことによって、沈胴状態でのレンズ鏡筒の長さを減少させる。【０００３】
また、特許文献２には、地板と仕切り板との間に光通過開口（絞り開口）のサイズを増減させて光量を調節する複数の絞り羽根とこれら絞り羽根を開閉させる駆動リングを配置し、さらに仕切り板とカバー板との間に光通過開口（シャッタ開口）を開閉するシャッタ羽根を配置した光量調節装置が開示されている。この装置では、駆動リングに形成されたカム溝部に、絞り羽根に設けられたカムボス部が係合しており、駆動リングが地板に対して光通過開口の周囲で回転することで絞り羽根が開閉する。また、地板に取り付けられたモータによってシャッタ羽根が開閉される。このように１つの地板を用いて絞り機能とシャッタ機能とを有する光量調節装置を構成することで、絞り装置とシャッタ装置と別々に設ける場合に比べて、カメラの光軸方向での薄型化を図ることができる。【０００４】
ただし、特許文献１にて開示されたカメラでは、絞り羽根を開放状態以上に開くことで形成された開口内にレンズの一部を入り込ませる。このため、少なくとも開放開口径を該レンズの外径よりも大きくする必要がある。この結果、絞り開口を形成する絞り羽根を大きくする必要が生じ、開放状態以上に開いた状態にて絞り羽根を退避させるための外周スペースも大きく確保する必要がある。このため、光量調節装置が径方向に大型化する。また、特許文献２にて開示された光量調節装置でも、光軸方向において地板の厚みと、絞り羽根が移動するスペースと、絞り羽根が移動するスペースとが必要となるため、薄型化に限界がある。【０００５】
このような問題に対して、特許文献３にて開示されたシャッタ装置では、２枚のシャッタ羽根がそれぞれ曲面（球面）形状に形成され、該２枚のシャッタ羽根が、それらの凹面に面した凹空間（半球状の空間）に沿って開閉移動するように構成されている。この構成によれば、シャッタ全開状態にて２枚のシャッタ羽根を退避させるための外周スペースを、各シャッタ羽根が平面形状に形成されている場合に比べて小さくすることができ、シャッタ装置の径方向での小型化が可能である。同様の構成は、複数の絞り羽根を開閉させる光量調節装置にも適用可能である。しかも、このような球面形状の羽根を用いる構成によれば、該羽根を閉じた状態でも、それらの内側に形成された凹空間内にレンズを入り込ませたり該羽根の凸面に沿ってレンズの凹面を配置したりすることが可能であるため（例えば、特許文献４参照）、光量調節装置とレンズとが隣接配置された沈胴式レンズ鏡筒の沈胴状態での光軸方向における薄型化が可能である。
【先行技術文献】
【特許文献】
【０００６】
【特許文献１】特開２００７−３１０４１２号公報
【特許文献２】特開２００４−１８４４８６号公報
【特許文献３】特開平２−１５３３３４号公報
【特許文献４】特開２００７−９４０７４号公報
【発明の概要】
【発明が解決しようとする課題】
【０００７】
しかしながら、特許文献２にて開示されているように絞り羽根とシャッタ羽根とを有する光量調節装置において、特許文献３，４にて開示されているように絞り羽根を球面形状に形成しても、径方向に延びるカム溝部が形成された平板状の駆動リングの内径が小さいために、凹空間としての開口径も小さくなる。このため、該凹空間に挿入可能なレンズの径が制限されたり、レンズの凸面のごく一部しか挿入できなかったりする。【０００８】
しかも、絞り羽根に設けられたカムボス部が駆動リングのカム溝部を貫通して該駆動リングの反対側に突出すると、その突出したカムボス部が凹空間へのレンズの挿入の邪魔になる可能性がある。つまり、光量調節装置とこれに隣接配置されたレンズとを十分に近接させることができず、レンズ鏡筒の沈胴状態での薄型化の効果が小さい。【０００９】
また、特許文献２にも開示されているように２枚のシャッタ羽根の先端同士がシャッタ全開状態にて互いに開き方向に離れて位置する場合に、特許文献３，４にて開示されているようにそれらシャッタ羽根を球面形状に形成すると、シャッタ閉じ動作中に該２枚のシャッタ羽根同士が引っ掛かり易く、この結果、シャッタ閉じ動作がスムーズに行われなくなるおそれがある。【００１０】
本発明は、曲面形状に形成された光量調節用の羽根を有する光量調節装置であって、該光量調節装置を含む光学機器の光軸方向での十分な薄型化を可能としたり、スムーズなシャッタ動作を可能としたりすることができる光量調節装置およびこれを備えた光学機器を提供する。
【課題を解決するための手段】
【００１１】
本発明の第１の側面としての光量調節装置は、ベース部材と、光通過開口を通過する光の量を増減させるための絞り部およびベース部材に対して回動可能に支持された被支持部を有する絞り羽根と、それぞれ光通過開口における光の通過を遮断するためのシャッタ部およびベース部材に対して回動可能に支持された被支持部を有するシャッタ羽根と、シャッタ羽根と絞り羽根との間に配置され、ベース部材に対して光通過開口の周囲で回転することにより絞り羽根を回動させる駆動部材とを有する。光通過開口の開口面に直交する方向を光軸方向とし、該光軸方向に対して直交する方向を径方向とするとき、絞り羽根およびシャッタ羽根において、それぞれの被支持部に対して絞り部およびシャッタ部が光軸方向に離れて位置するように、該各被支持部が上記開口面に対して光軸方向における同じ一方の側への傾きを有し、かつ駆動部材がその外周側から内周側にかけて一方の側に凹んだ形状を有することにより、絞り羽根、シャッタ羽根および駆動部材よりも径方向の内側に光通過開口に面した凹空間が形成されていることを特徴とする。【００１２】
また、本発明の第２の側面としての光量調節装置は、ベース部材と、光通過開口を通過する光の量を増減させるための絞り部およびベース部材に対して回動可能に支持された被支持部を有する絞り羽根と、それぞれ光通過開口における光の通過を遮断するためのシャッタ部およびベース部材に対して回動可能に支持された被支持部を有する第１のシャッタ羽根および第２のシャッタ羽根とを有する。光通過開口の開口面に直交する方向を光軸方向とし、該光軸方向に対して直交する方向を径方向とするとき、絞り羽根、第１のシャッタ羽根および第２のシャッタ羽根において、それぞれの被支持部に対して絞り部およびシャッタ部が光軸方向に離れて位置するように、該各被支持部が上記開口面に対して光軸方向における同じ一方の側への傾きを有することにより、絞り羽根、第１のシャッタ羽根および第２のシャッタ羽根よりも径方向の内側に光通過開口に面した凹空間が形成されている。第１および第２のシャッタ羽根はそれぞれ、被支持部からシャッタ部に向かって上記開口面に対する傾きが小さくなるように曲面形状または折れ曲がり形状を有し、第１のシャッタ羽根は、第２のシャッタ羽根に対して、凹空間とは反対側にて重なるように配置されている。そして、第１のシャッタ羽根における曲面形状の曲率または折れ曲がり形状の折れ曲がり角が、第２のシャッタ羽根における該曲率または該折れ曲がり角よりも大きいことを特徴とする。【００１３】
さらに、本発明の第３の側面としての光量調節装置は、ベース部材と、光通過開口を通過する光の量を調節するための光量調節部およびベース部材に対して回動可能に支持された被支持部を備えた光量調節羽根と、ベース部材に対して光通過開口の周囲で回転することにより光量調節羽根を回動させる駆動部材とを有する。光通過開口の開口面に直交する方向を光軸方向とし、光通過開口の径に沿った方向を径方向とするとき、光量調節羽根において光量調節部が被支持部に対して光軸方向に離れて位置するように被支持部が上記開口面に対して光軸方向における一方の側への傾きを有し、かつ駆動部材がその外周側から内周側にかけて該一方の側に凹んだ形状を有することにより、光量調節羽根および駆動部材よりも径方向の内側に、光通過開口に面した凹空間が形成されていることを特徴とする。【００１４】
なお、上記光量調節装置とレンズとが光軸方向に配置された光学系を有し、レンズの少なくとも一部が、光量調節装置における凹空間の内部に入り込む光学機器も本発明の他の一側面を構成する。
【発明の効果】
【００１５】
本発明の第１および第３の側面としての光量調節装置によれば、光量調節用の羽根（絞り羽根やシャッタ羽根）を有する光量調節装置において、該羽根を大きく開くことなく、これらの羽根よりも径方向内側に、大きな径を有するレンズを入り込ませることが可能な凹空間を形成することができる。つまり、光量調節装置の径方向での大型化を抑えつつ、その光軸方向の内側まで大きな径を有するレンズを入り込ませることが可能となる。したがって、この光量調節装置を搭載した光学機器の光軸方向での薄型化と径方向での小型化を同時に達成することができる。【００１６】
また、本発明の第２の側面としての光量調節装置によれば、曲面形状または折れ曲がり形状を有する第１のシャッタ羽根と第２のシャッタ羽根とがシャッタ閉じ動作において互いに引っ掛かることを防止でき、スムーズなシャッタ動作を行うことができる。
【図面の簡単な説明】
【００１７】
【図１】本発明の実施例１である絞りシャッタ装置の分解斜視図。
【図２】実施例１の絞りシャッタ装置の背面斜視図。
【図３】実施例１の絞りシャッタ装置の側面断面図。
【図４】実施例１の絞りシャッタ装置に用いられる絞り羽根とシャッタ羽根の斜視図。
【図５】実施例１における絞り羽根の動作説明図。
【図６】実施例１におけるシャッタ羽根の動作説明図
【図７】実施例１におけるシャッタ羽根の断面図。
【図８】実施例１における絞り羽根周辺の断面図。
【図９】本発明の実施例２である絞り装置の分解斜視図。
【図１０】実施例２の絞り装置の背面斜視図。
【図１１】実施例２の絞り装置の側面断面図。
【図１２】実施例２の絞り装置に用いられる絞り羽根の斜視図。
【図１３】実施例２の絞り装置の動作説明図。
【図１４】本発明の実施例３である絞り装置の背面図。
【図１５】本発明の実施例４である絞り装置の背面図。
【図１６】本発明の実施例５である絞り装置の背面図。
【図１７】各実施例の絞りシャッタ装置を搭載したカメラの構成を示すブロック図。
【発明を実施するための形態】
【００１８】
以下、本発明の実施例について図面を参照しながら説明する。
【実施例１】
【００１９】
図１および図２（ａ），（ｂ）には、本発明の実施例１である光量調節装置としての虹彩型の絞りシャッタ装置１０を示している。これらの図において、１はリング形状に形成されたベース部材としての地板であり、その内周には開口６が形成されている。以下の説明において、絞りシャッタ装置１０の中心を通る軸であって、地板１に形成された開口６の開口面および後述する各固定開口のそれぞれの開口面に直交する軸を光軸ＡＸといい、該光軸ＡＸが延びる方向を光軸方向という。さらに、光軸方向に対して直交する方向を径方向という。【００２０】
地板１において開口６の周囲を囲むリング部の周方向複数箇所には、支持部としての絞り支持ボス部（凸部）７が形成されている。各絞り支持ボス部７の中心軸ＢＸは、光軸方向（光軸ＡＸ）に対して傾きθＢを有する。【００２１】
２は駆動部材としての絞り駆動リングである。絞り駆動リング２は、地板１（開口６）側に向かって凹（言い換えれば、地板１とは反対側に向かって凸）のドーム形状に形成されたドーム壁部２ａを有する。【００２２】
ドーム壁部２ａの最内周部（径方向中央部）には、光通過開口としての第１の固定開口１２が形成されている。また、絞り駆動リング２におけるドーム壁部２ａよりも外周側の部分における周方向一部には、被駆動ギア２ｂが形成されている。ドーム壁部２ａにおける地板１側の凹面およびそれとは反対側の凸面（以下、絞りガイド面という）２ｃはそれぞれ、曲面（例えば、球面）として形成されている。光軸方向において、第１の固定開口１２の開口面の位置は、絞り駆動リング２におけるドーム壁部２ａの外周縁に比べて、地板１（開口６の開口面）から離れている。つまり、絞り駆動リング２において、ドーム壁部２ａは、光軸方向において地板１から離れる方向に突出する（すなわち、絞り駆動リング２の外周側から内周側にかけて光軸方向における一方の側に凹んだ形状を有する）ように形成されている。【００２３】
また、ドーム壁部２ａの絞りガイド面２ｃにおける周方向複数箇所（第１の固定開口１２の周囲の複数箇所）には、カムボス部８が形成されている。各カムボス部８の中心軸ＣＸは、絞りガイド面２ｃの法線方向に延びるように、光軸方向（光軸ＡＸ）に対して傾きθＣを有する。【００２４】
３は遮光羽根としての絞り羽根であり、本実施例では、複数（６枚）設けられている。各絞り羽根３は、絞り駆動リング２に形成された第１の固定開口１２の径方向内側に、その周囲が遮光された絞り開口Ａを形成するための遮光性を有する薄板状の部材である。
図４（ａ）に詳しく示すように、絞り羽根３は、絞り開口Ａを形成するための遮光部としての絞り部３ａと、地板１の絞り支持ボス部７が挿入される穴部３ｃが形成された被支持部３ｃとを有する。被支持部３ｂ（つまりは絞り羽根３）は、穴部３ｃに絞り支持ボス部７が挿入されることによって、地板１に対して、該絞り支持ボス部７を中心として回動可能に支持される。さらに、絞り羽根３は、絞り部３ａと被支持部３ｂとを接続する中間部３ｅを有する。【００２５】
各絞り羽根３は、絞り駆動リング２のドーム壁部２ａの絞りガイド面２ｃに対向するように（又はこれに沿うように）配置されている。絞り部３ａは、ドーム壁部２ａの絞りガイド面２ｃとほぼ同じ曲率を持つ曲面形状（例えば、球面形状）に形成されている。このため、絞り羽根３が回動するとき、絞り部３ａは、絞りガイド面２ｃに沿って、つまりは絞りガイド面２ｃによってガイドされながら、第１の固定開口１２の径方向内側の領域（第１の固定開口１２に対向する領域）に進退する方向、すなわち絞り開口の大きさを変化させる方向（以下、絞り開閉方向という）に回動する。【００２６】
また、各絞り羽根３のうち中間部３ｅおよび被支持部３ｂ、すなわち少なくとも絞り部３ａよりも被支持部３ｂ側の部分は、地板１の開口６の開口面（図４（ａ）にＰで示す）に対して光軸方向への傾きαを有する。この傾きαは、絞り駆動リング２に形成された第１の固定開口１２の開口面や後述する絞りカバー板に形成された第２の固定開口の開口面に対する傾きにも相当し、さらに各開口面は径方向に沿っているので、径方向に対する傾きと言い換えることもできる。【００２７】
傾きαは、９０度以下の角度であり、中間部３ｅおよび被支持部３ｂに傾きαが与えられることにより、絞り部３ａは、被支持部３ｂに対して光軸方向に離れて位置する。また、被支持部３ｂに形成された穴部３ｃの中心軸は、絞り支持ボス部７の中心軸ＢＸに一致するように光軸ＡＸに対して傾きを有する。したがって、絞り羽根３は、絞り支持ボス部７の中心軸が光軸方向に延びる場合に比べて、スムーズに回動することができる。【００２８】
なお、各絞り羽根３において、絞り部３ａよりも被支持部３ｂの方が、開口面（径方向）Ｐに対する光軸方向への傾きが大きい。言い換えれば、絞り部３ａの開口面Ｐに対する光軸方向への傾きは、被支持部３ｂの該傾きよりも小さい。また、絞り羽根３の被支持部３ｂから絞り部３ａにかけての全体を曲面形状（例えば、球面形状）に形成してもよい。【００２９】
さらに、各絞り羽根３には、絞り駆動リング２に形成されたカムボス部８が挿入されて係合するカム溝部３ｄが形成されている。前述したようにカムボス部８の中心軸ＣＸは絞りガイド面２ｃの法線方向に延びている。このため、カムボス部８は、その中心軸が光軸方向に延びる場合に比べて、カム溝部３ｄ内をスムーズに移動して絞り部３ａ（つまりは絞り羽根３）を絞り開閉方向に位置精度良く回動させることができる。なお、絞り部３ａを曲面（例えば、球面）として形成する一方、絞りガイド面２ｃを曲面ではなく、円錐台面としてもよい。【００３０】
図１および図２（ａ）において、４は絞りカバー板（絞りカバー部材）であり、絞り駆動リング２および絞り羽根３に対して地板１とは反対側に配置されて、絞り駆動リング２（ドーム壁部２ａ）との間に絞り羽根３を収容する絞り羽根室を形成する。絞りカバー板４は、地板１（開口６）側に向かって凹（言い換えれば、地板１とは反対側に向かって凸）のドーム形状を有するドーム壁部４ａと、該ドーム壁部４ａの外周に形成されたリング部とを有する。ドーム壁部４ａは、絞り駆動リング２のドーム壁部２ａとほぼ同じ曲率を持つ球面又は曲面形状に形成されている。【００３１】
ドーム壁部４ａの最内周部（径方向中央部）には、光通過開口としての第２の固定開口１３が形成されている。光軸方向において、第２の固定開口１３の開口面の位置は、ドーム壁部４ａの外周縁（リング部）に比べて、地板１（開口６）から離れている。つまり、絞りカバー板４において、ドーム壁部４ａは、光軸方向において地板１から離れる方向に突出するように形成されている。【００３２】
絞りカバー板４のリング部が地板１にビスにより結合されることで、絞りカバー板４は地板１と一体化される。このため、絞りカバー板４も、地板１と同様にベース部材として扱うことができる。【００３３】
なお、地板１に、絞りカバー板４ドーム壁部４ａと同様なドーム壁部を形成し、該ドーム壁部に固定開口を形成することで絞りカバー板４をなくしてもよい。【００３４】
５はステッピングモータ等のアクチュエータを含む絞り駆動部であり、その出力軸には、図２（ｂ）に示すように、絞り駆動リング２の被駆動ギア２ｂに噛み合う駆動ギア５ａが取り付けられている。絞り駆動部５は、モータ地板１１および絞りカバー板４を介して地板１に固定される。ここで、絞り駆動部５は、地板１および絞りカバー板４を含むベース部材のうちドーム壁部４ａの周囲の部分における１カ所に配置されている。言い換えれば、絞り駆動部５は、ドーム壁部４ａがその周囲の部分に対して突出する方向と同じ方向に、該周囲の部分から突出するように設けられている。【００３５】
このようにドーム壁部４ａと絞り駆動部５とがベース部材から突出する方向を同じにすることにより、後述する実施例２のように、本絞りシャッタ装置１０をカメラ等の光学機器に搭載した場合に、光学機器内のスペース（特に、ドーム壁部４ａと絞り駆動部５とが配置された側とは反対側のスペース）を有効に使用することができ、該光学機器の小型化を図ることができる。【００３６】
絞り駆動部５に通電されて駆動ギア５ａが回転すると、図５（ａ），（ｂ）に示すように、その回転力が被駆動ギア２ｂおよび駆動ギア５ａを介して絞り駆動リング２に伝達され、これを光軸ＡＸの回り（光通過開口の周囲）で地板１に対して回転させる。絞り駆動リング２の回転によって絞り羽根３の絞り部３ａに形成されたカム溝部３ｄ内で絞り駆動リング２に設けられたカムボス部８が移動することにより、絞り羽根３は、被支持部３ｂの穴部３ｃに挿入された絞り支持ボス部７を中心として絞り開閉方向に回動される。こうして、複数の絞り羽根３（ただし、図５（ａ），（ｂ）には１枚のみを示している）の絞り部３ａが絞り開閉方向に回動されることで、これら絞り部３ａにより形成される絞り開口Ａの径が変化し、該絞り開口Ａを通過する光の量が増減（調節）される。【００３７】
なお、本実施例では、地板１に形成された絞り支持ボス部７（の中心軸）と絞り駆動リング２に形成されたカムボス部８（の中心軸）とがそれぞれ光軸方向に対して傾いている場合について説明した。しかし、絞り支持ボス部７およびカムボス部８は光軸方向に平行に延びるように形成されてもよく、絞り羽根３（被支持部３ｂ）が光軸方向に対して傾いた仮想の軸回りで回動すればよい。【００３８】
また、地板１に絞りカバー板４のドーム壁部４ａと同様なドーム壁部を形成し、該ドーム壁部に固定開口を形成するとともに該ドーム壁部の内面（凹面）にカムボス部を形成する一方、回動可能な絞り駆動リング２に絞り支持ボス部を形成してもよい。この場合、絞り羽根３に形成された穴部３ｃに絞り駆動リング２に形成された絞り支持ボス部を挿入し、カム溝部３ｄに地板１のドーム壁部に形成されたカムボス部を挿入する。これによっても、絞り駆動リング２を回動させることで、絞り羽根３を絞り開閉方向に回動させることもできる。このように、絞り羽根３の穴部３ｃとカム溝部３ｄのそれぞれに挿入される絞り支持ボス部とカムボス部は、それらの相対位置が変化すれば、どちらが地板１に形成されて、どちらが絞り駆動リング２に形成されてもよい。そして、この場合のように絞り羽根３の被支持部３ｂを直接的に支持するのが絞り駆動リング２であっても、被支持部３ｂが地板１に対して回動可能に支持されている点では同じである。【００３９】
また、本実施例では、地板１に形成された絞り支持ボス部７と絞り駆動リング２に形成されたカムボス部８をそれぞれ、絞り羽根３に形成された穴部３ｃとカム溝部３ｄに挿入する場合について説明した。しかし、絞り羽根３に絞り支持ボス部７に相当するボス部とカムボス部８に相当するボス部とを形成し、これらを地板１に形成された穴部と絞り駆動リング２に形成されたカム溝部に挿入するようにしてもよい。【００４０】
さらに、図１において、２１，２２は、地板１（および絞り駆動リング２）に対して絞り羽根３とは反対側に配置された２つのシャッタ羽根である。シャッタ羽根（第１のシャッタ羽根）２１およびシャッタ羽根（第２のシャッタ羽根）２２も、絞り羽根３と同様に、遮光性を有する薄板状の部材である。【００４１】
そして、２３はシャッタ羽根２１，２２に対して地板１および絞り駆動リング２とは反対側に配置されたシャッタカバー板（シャッタカバー部材）である。シャッタカバー板２３は、地板１に取り付けられて、絞り駆動リング２（ドーム壁部２ａ）との間にシャッタ羽根２１，２２を収容するシャッタ羽根室を形成する。シャッタカバー板２３は、地板１（開口６）側に向かって凸（言い換えれば、地板１とは反対側に向かって凹）のドーム形状を有するドーム壁部２３ａと、該ドーム壁部２３ａの外周に形成されたリング部とを有する。ドーム壁部２３ａは、絞り駆動リング２のドーム壁部２ａとほぼ同じ曲率を持つ曲面形状（例えば、球面形状）に形成されている。【００４２】
ドーム壁部２３ａの最内周部（径方向中央部）には、光通過開口としての第３の固定開口２８が形成されている。光軸方向において、第３の固定開口２８の開口面の位置は、ドーム壁部２３ａの外周縁の部分（リング部）に比べて、地板１（開口６）から離れている。つまり、シャッタカバー板２３において、ドーム壁部２３ａは、光軸方向において地板１から離れる方向に突出するように形成されている。【００４３】
シャッタカバー板２３は、そのリング部が地板１に接着されて結合されることで、地板１と一体化される。このため、シャッタカバー板２３も、地板１および絞りカバー板４と同様にベース部材として扱うことができる。【００４４】
シャッタ羽根２１は、図４（ｂ）に詳しく示すように、遮光部としてのシャッタ部２１ａと、被支持部２１ｂとを有する。シャッタ部２１ａは、シャッタカバー板２３の第３の固定開口２８に対向する領域に進退して第３の固定開口２８を開放したり閉塞したり（すなわち開閉）する。第３の固定開口２８を閉じることで、該第３の固定開口２８（および第１、第２の固定開口１２，１３）における光の通過を遮断する。【００４５】
被支持部２１ｂには穴部２１ｃが形成されており、該穴部２１ｃには、地板１に形成されたシャッタ支持ボス部２６が挿入される。これにより、被支持部２１ｂ（つまりはシャッタ羽根２１）は、地板１に対して、シャッタ支持ボス部２６を中心として回動可能に支持される。さらに、シャッタ羽根２１には、後述するシャッタ駆動ピンが挿入されて係合する穴部２１ｄが形成されている。【００４６】
もう１つのシャッタ羽根２２も、シャッタ羽根２１と同様に形成され、図６（ａ），（ｂ）に示すように、シャッタ部２２ａと、支持ボス部が挿入される穴部２２ｃが形成された被支持部２２ｂと、シャッタ駆動ピンが挿入される穴部２２ｄとを有する。図６（ａ），（ｂ）には、シャッタカバー板２３を除いた状態でのシャッタ羽根２１，２２を示している。【００４７】
これらシャッタ羽根２１，２２は、絞り駆動リング２のドーム壁部２ａの凹面２ｅおよびシャッタカバー板２３のドーム壁部２３ａの凸面２３ｃに対向するように（又はこれに沿うように）配置され、これら凹面および凸面とほぼ同じ曲率を持つ曲面形状（例えば、球面形状）に形成されている。このため、シャッタ羽根２１，２２が回動するとき、シャッタ部２１ａ，２２ａは、絞り駆動リング２のドーム壁部２ａの凹面２ｅおよびシャッタカバー板２３のドーム壁部２３ａの凸面２３ｃに沿って、つまりはこれら凹面２ｅおよび凸面２３ｃ（以下、これらをまとめてシャッタガイド面という）によりガイドされながら、第３の固定開口２８を開閉する方向（以下、シャッタ開閉方向という）に回動する。【００４８】
このとき、絞り駆動リング２のドーム壁部２ａは、シャッタ羽根２１，２２の回動スペースと、絞り羽根３の回動スペースとを仕切る役割も有し、シャッタ羽根２１，２２と絞り羽根３とが互いに干渉することを回避している。このように、絞り駆動リング２のドーム壁部２ａは、シャッタ羽根２１，２２と絞り羽根３の回動をガイドする機能と、シャッタ羽根２１，２２と絞り羽根３の回動スペースを仕切る機能とを有する。したがって、絞り駆動リング２とは別に、上記ガイド機能や仕切り機能を有する部材を設ける場合に比べて、部品点数を減少させたり絞りシャッタ装置１０の光軸方向での厚みを減少させたりすることができる。【００４９】
また、シャッタ羽根２１，２２のうちシャッタ部２１ａ，２２ａよりも被支持部２１ｂ，２２ｂ側の部分は、前述した開口面Ｐに対して光軸方向への傾きβを有する。この傾きβは、９０度以下の角度であり、被支持部２１ｂ，２２ｂに傾きβが与えられることにより、シャッタ部２１ａ，２２ａは、被支持部２１ｂ，２２ｂに対して光軸方向に離れて位置する。なお、シャッタ羽根２１，２２のうち、被支持部２１ｂ，２２ｂの開口面Ｐに対する光軸方向への傾きβは、シャッタ部２１ａ，２２ａの開口面Ｐに対する光軸方向への傾きよりも大きい。言い換えれば、シャッタ部２１ａ，２２ａの開口面Ｐに対する光軸方向への傾きは、被支持部２１ｂ，２２ｂの該傾きβよりも小さい。【００５０】
２４はシャッタ羽根２１，２２を、シャッタ開閉方向に回動させるシャッタ駆動部であり、２５はシャッタ駆動部２４を地板１に固定するための固定部材である。シャッタ駆動部２４は、例えば、二極に着磁されたマグネットと、それを取り囲むステータヨークと、該ステータヨークを励磁するコイル等により構成され、コイルへの通電によりマグネットを２位置間で往復回動させる。【００５１】
本実施例では、シャッタ駆動部２４および固定部材２５は、地板１のうちシャッタ羽根２１，２２の被支持部２１ｂ，２２ｂを支持するシャッタ支持ボス部２６，２７が設けられた側の面とは反対側の面（絞り駆動部５と同じ側の面）に取り付けられる。【００５２】
シャッタ駆動部２４のマグネットには、シャッタ駆動ピン２４ａが一体的に設けられており、該シャッタ駆動ピン２４ａは、地板１に形成された穴部を貫通し、シャッタ羽根２１，２２の駆動穴部２１ｄ，２２ｄに挿入されて係合する。このため、コイルへの通電によりシャッタ駆動ピン２４ａが回動すると、図６（ａ），（ｂ）に示すように、シャッタ羽根２１，２２は、シャッタ支持ボス部２６，２７を中心としてシャッタ開閉方向に回動される。【００５３】
シャッタ羽根２１，２２（少なくともシャッタ部２１ａ，２２ｂ）は、絞り駆動リング２のドーム壁部２ａおよびシャッタカバー板２３のドーム壁部２３ａのガイド面２ｅ，２３ｃとほぼ同じ曲率を持つ球面（曲面）形状に形成されている。このためシャッタ羽根２１，２２が回動するときは、これらのガイド面２ｅ，２３ｃに沿って、つまりはこれらのガイド面２ｅ，２３ｃによりガイドされながら、シャッタ開閉方向に回動する。【００５４】
図１および図４（ｂ）に示すように、シャッタ駆動ピン２４ａの中心軸ＤＸは、光軸方向（光軸ＡＸ）に対してドーム壁部２３ａ（ガイド面２ｅ）の法線方向に延びる傾きθＤを有する。また、シャッタ羽根２１，２２におけるシャッタ駆動ピン２４ａと係合する駆動穴部２１ｄ，２２ｄの中心軸は、シャッタ駆動ピン２４ａの中心軸ＤＸに一致するように光軸ＡＸに対して傾きを有する。さらに、シャッタ支持ボス部２６，２７は、光軸方向（光軸ＡＸ）に対して傾きθＥを有し、シャッタ支持ボス部２６，２７と係合する穴部２１ｃ，２２ｃの中心軸は、シャッタ支持ボス部２６，２７の中心軸ＥＸに一致するように光軸ＡＸに対して傾きを有する。したがって、シャッタ羽根２１，２２は、シャッタ駆動ピン２４ａおよびシャッタ支持ボス部２６，２７の中心軸が光軸方向に延びる場合に比べてスムーズに、かつ高速で回動してシャッタ動作を行うことができる。【００５５】
なお、本実施例では、地板１に形成されたシャッタ支持ボス部２６，２７を、シャッタ羽根２１，２２に形成された穴部２１ｃ，２２ｃに挿入する場合について説明した。しかし、シャッタ支持ボス部をシャッタカバー板４に設けてもよい。また、シャッタ羽根２１，２２にシャッタ支持ボス部２６，２７に相当するボス部を形成し、これらを地板１に形成された穴部に挿入するようにしてもよい。【００５６】
以上のように、本実施例の絞りシャッタ装置１０では、図３に示すように、絞り羽根３およびシャッタ羽根２１，２２において、それぞれの被支持部３ｂ，２１ｂ，２２ｂに対して絞り部３ａおよびシャッタ部２１ａ，２２ａが光軸方向に離れて位置するように、各被支持部が開口面Ｐに対して光軸方向における同じ一方の側への傾きα，βを有する。さらに、絞り駆動リング２およびシャッタカバー板２３が、該一方の側に凹んだ形状（ドーム壁部２ａ，２３ａ）を有する。これにより、絞り羽根３、絞り駆動リング２、シャッタカバー板２３およびシャッタ羽根２１，２２よりも径方向の内側に、第１〜第３の固定開口（光通過開口）１２，１３，２８に面した凹空間Ｓが形成される。【００５７】
この凹空間Ｓは、実際には第３の固定開口２８を有するシャッタカバー板２３の径方向内側に、光軸方向において、絞り駆動リング２および絞りカバー板４に形成された第１および第２の固定開口１２，１３の側に向かって奥行きを有する空間として形成される。凹空間Ｓは、第１〜第３の固定開口１２，１３，２８の側においてこれら第１〜第３の固定開口１２，１３，２８に向かって開口しており（つまり第１〜第３の固定開口１２，１３，２８に面しており）、その反対側に向かって内径が増加して絞りシャッタ装置１０の光軸方向外部に向かって開口している。【００５８】
凹空間Ｓには、図３に示すように、レンズ５１の少なくとも一部を入り込ませることが可能である。すなわち、本実施例によれば、絞り羽根３とシャッタ羽根２１，２２を開放状態まで開くことなく、これらの羽根３，２１，２２よりも径方向内側に、レンズ５１の少なくとも一部を入り込ませることが可能な凹空間Ｓを形成することができる。このとき、絞り駆動リング２およびシャッタカバー板２３にドーム壁部２ａ，２３ａを形成したことで、絞り駆動リングおよびシャッタカバー板を平板リング状に形成する場合に比べて、凹空間Ｓにおけるレンズ５１が挿入される開口の径を大きくすることができる。つまり、凹空間Ｓに挿入可能なレンズ径を大きくすることができる。図３には、凹空間Ｓに、レンズ５１およびこれを保持するレンズ保持部材５５の大部分が凹空間Ｓに入り込んでいる様子を示している。【００５９】
また、本実施例では、絞り羽根３およびシャッタ羽根２１，２２のうち一方の羽根（本実施例では絞り羽根３）が他方の羽根（本実施例ではシャッタ羽根２１，２２）に対して光軸方向における凹空間Ｓとは反対側に配置され、該絞り羽根３が、地板１よりも凹空間Ｓとは反対側に凸となるように配置されている。そして、このような絞り羽根３の配置により、図３に示すように、絞り羽根３（絞りカバー板４のドーム壁部４ａ）の凸面とレンズ５３の凹面とを近接させることが可能であり、絞り羽根３およびシャッタ羽根２１，２２を、レンズ５１の凸面とレンズ５３の凹面との間の狭い空間に配置することができる。【００６０】
さらに、本実施例では、シャッタ羽根２１，２２、地板１および絞り羽根３を、凹空間Ｓの凹み方向（第１〜第３の固定開口１２，１３，２８に向かう奥行き方向）にこの順で配置している。言い換えれば、複数の絞り羽根３を、絞りシャッタ装置１０が光軸方向に凸となっている側に配置し、シャッタ羽根２１，２２を凹となっている面に配置している。この理由は、以下の通りである。絞り羽根３の数（本実施例では６枚）は、シャッタ羽根２１，２２の数よりも多く、地板１や絞り駆動リング２に形成する支持ボス部７やカムボス部８の数もこれに応じて多くなる。このような軸部をドーム形状の壁部に形成する場合、凹面に形成するより凸面に形成する方が、金型構造が簡単になり成形が易く、生産性も高めることが可能であるためである。【００６１】
ただし、これとは逆に、シャッタ羽根、地板および絞り羽根を、凹空間の凹み方向とは反対方向にこの順で配置する、つまり絞り羽根を絞りシャッタ装置が光軸方向に凹となっている側に配置し、シャッタ羽根を凸となっている面に配置してもよい。【００６２】
さらに、本実施例では、シャッタ羽根２１，２２が、被支持部２１ｂ，２２ｂからシャッタ部２１ａ，２２ｂにかけて滑らかにつながる曲面形状に形成されている場合について説明した。しかし、シャッタ部２１ａ，２２ｂが、被支持部２１ｂ，２２ｂに対して折れ曲がった形状を有していてもよい（図７（ｂ）参照）。この場合でも、開口面（図４（ｂ）中のＰ）に対するシャッタ部２１ａ，２２ａの光軸方向への傾きが被支持部２１ｂ，２２ｂの該傾き（図４（ｂ）中のβ）よりも小さい点については同じである。【００６３】
ここで、図７（ａ）には、絞り駆動リング２とシャッタ羽根２１，２２とシャッタカバー板２３の断面を示している。この図に示すように、シャッタ羽根２２に対して凹空間Ｓとは反対側にて重なるように配置されたシャッタ羽根２１における曲面形状の曲率Ｃ１は、シャッタ羽根２２における該曲率Ｃ２よりも大きい。言い換えれば、シャッタ羽根２１における曲面形状の曲率半径は、シャッタ羽根２２における該曲率半径よりも小さい。【００６４】
本実施例では、図６（ａ）に示したように、シャッタ開放状態では、シャッタ羽根２１，２２における被支持部２１ｂ，２２ｂよりも先端側の部分がシャッタ開方向に互いに離れ、光軸方向にて互いに重ならない。このため、仮にシャッタ羽根２１，２２の曲率Ｃ１，Ｃ２が互いに同じ又は曲率Ｃ２が曲率Ｃ１より大きいと、シャッタ閉じ動作において、シャッタ羽根２１，２２の先端側の部分同士が引っ掛かるおそれがある。これに対して、本実施例のようにシャッタ羽根２１の曲率Ｃ１がシャッタ羽根２２の曲率Ｃ２より大きくすることで、シャッタ閉じ動作におけるシャッタ羽根２１，２２の先端側の部分同士の引っ掛かりを回避することができ、スムーズなシャッタ閉じ動作（つまりはシャッタ動作）を確保することができる。【００６５】
なお、上述したように、シャッタ羽根２１，２２が折れ曲がり形状を有する場合には、同じ理由により、図７（ｂ）に示すように、シャッタ羽根２１における折れ曲がり形状の折れ曲がり角Ｂ１が、シャッタ羽根２２における該折れ曲がり角Ｂ２よりも大きくするとよい。【００６６】
また、図８には、絞り駆動リング２と絞り羽根３と絞りカバー板４の一部の断面を拡大して示す。この図に示すように、絞り駆動リング２に設けられたカムボス部８における一方の側（ドーム壁部２ａおよび絞り羽根３が凸となっている側）の先端が、絞り羽根３の回動位置にかかわらず、絞り部３ａにおける該一方の側の先端よりも該一方の側とは反対側に退避している。【００６７】
図８中のＨは、絞り羽根３が開放状態にあるときのカムボス部８の先端の絞り部３ａの先端に対する退避量を示している。絞り部３ａの先端の位置を図８において「高さ」と表現する場合、この絞り開放状態が最も絞り部３ａの高さが低くなる状態であり、この状態においてもカムボス部８の先端は、絞り部３ａの先端よりも退避している（低い位置にある）。図中には、一点鎖線で、絞り羽根３が閉じたときの絞り部３ａの位置を示している。このため、上述した「絞り羽根３の回動位置にかかわらず」とは、本実施例では、絞り開放状態においてもと言い換えることができる。【００６８】
このように、絞り羽根３の回動位置にかかわらずカムボス部８の先端が絞り部３ａの先端よりも退避する構成とすることで、絞り羽根３の開閉状態にかかわらず（開放状態においても）カムボス部８が邪魔になることなく、図３に示すように、絞り羽根３（絞りカバー板４のドーム壁部４ａ）の凸面とレンズ５３の凹面とを近接させることができる。この結果、絞りシャッタ装置１０を挟むレンズ５１，５３間の間隔をより狭めることができる。
【実施例２】
【００６９】
上記実施例１にて説明した絞りシャッタ装置１０が搭載された光学機器としてのカメラ（ビデオカメラ又はスチルカメラ）を図１７に示す。５０はカメラ本体であり、５１，５３は撮影光学系を構成する複数のレンズである。５２はＣＣＤセンサやＣＭＯＳセンサ等により構成される撮像素子であり、撮影光学系により形成された被写体像を光電変換する。
５４はＣＰＵ等により構成されるコントローラであり、絞りシャッタ装置１０の駆動部５，２４や撮像素子５２の動作を制御する。【００７０】
このようなカメラにおいて、図３を用いて実施例１にて述べたように、絞りシャッタ装置１０の凹空間Ｓには、該絞りシャッタ装置１０に対して光軸方向にて隣接配置されたレンズ５１の少なくとも一部（凸面）、さらにはレンズ５１を保持するレンズ保持部材５５までもが入り込むことができる。【００７１】
凹空間Ｓへのレンズ５１の入り口となる開口の大きさ（内径）は、絞り駆動リング２およびシャッタカバー板２３にドーム壁部２ａ，２３ａを形成することを前提とすれば、複数の絞り羽根３の被支持部３ｂ（支持ボス部７）を通る円の径（又は該円に対応する地板１の開口６の内径）によって決まり、複数の絞り羽根３により形成される絞り開口Ａの大きさ（およびシャッタ羽根２１，２２の開きの大きさ）には依存しない。このため、絞り開口Ａを絞り込んだ状態でも、つまりは絞り開口Ａを開放開口径に設定したりそれよりもさらに拡げたりすることなく、凹空間Ｓにレンズ５１を入り込ませることができる。したがって、絞り開口Ａの最大径をレンズ５１の外径に合わせて大きくする必要がなく、内部の空間にレンズを入り込ませることが可能な絞り装置において径方向の大型化を回避することができる。【００７２】
なお、凹空間Ｓへのレンズ５１の入り口を被写体方向に向けて、絞りシャッタ装置１０に対して被写体側に隣接配置されたレンズ５３が凹空間Ｓに入り込むようにしてもよい。【００７３】
このような配置とすることにより、特に光軸方向においてカメラの撮影光学系の小型化を図ることが可能となる。【００７４】
また、図３には、実施例１でも触れたが、絞りシャッタ装置１０の絞りカバー板４のドーム壁部４ａの被写体側の凸面と絞りシャッタ装置１０に対して被写体側に隣接配置されたレンズ５３の像面側の凹面とが近接している様子も示している。このように、絞りシャッタ装置１０の絞り羽根３およびシャッタ羽根２１，２２を、レンズ５１の被写体側の凸面とレンズ５３の像面側の凹面との間の狭い空間に配置することも可能である。【００７５】
さらに、図３に示すように、絞りシャッタ装置１０とその両側のレンズ５１，５３とが近接した状態で、撮影光学系を保持するレンズ鏡筒がカメラ本体内に収納（沈胴）されるようにしてもよい。【００７６】
また、絞りシャッタ装置１０は、図１７に示したカメラだけでなく、交換レンズ等の他の光学機器にも搭載することができる。
【実施例３】
【００７７】
図９および図１０には、本発明の実施例３である光量調節装置としての虹彩絞り装置１１０を示している。これらの図において、１０１はベース部材としての地板であり、その径方向中央には固定の光通過開口としての第１の固定開口１０６が形成されている。以下の説明において、第１の固定開口１０６の開口面１０６ａの中心を通り、該開口面１０６ａに直交する軸を光軸ＡＸといい、該光軸ＡＸが延びる方向を光軸方向という。【００７８】
また、地板１０１における第１の固定開口１０６の周囲のリング部の周方向複数箇所には、支持ボス部（凸部）１０７が形成されている。各支持ボス部１０７の中心軸ＢＸは、光軸方向（光軸ＡＸ）に対して傾きθＢを有する。【００７９】
１０２は駆動部材としての駆動リングであり、その内周側の部分には、地板１０１（第１の固定開口１０６）側に向かって凹のドーム形状を有する（すなわち、駆動リング１０２の外周側から内周側にかけて光軸方向における一方の側に凹んだ形状を有する）ドーム壁部１０２ａが形成されている。ドーム壁部１０２ａは、光軸方向において地板１から離れる方向に突出する。ドーム壁部１０２ａの外径は、地板１の第１の固定開口１０６の内径とほぼ同じに設定されている。【００８０】
また、駆動リング１０２におけるドーム壁部１０２ａよりも外周側の部分における周方向一部には、被駆動ギア１０２ｂが形成されている。ドーム壁部１０２ａにおける地板１０１側の面およびそれとは反対側の面（ガイド面）１０２ｃはそれぞれ、曲面（例えば、球面）として形成されている。ドーム壁部１０２ａの径方向中央には、開放絞り開口に対応する第２の固定開口１１２が形成されている。第２の固定開口１１２の開口面の位置は、駆動リング１０２におけるドーム壁部１０２ａより外周の部分に比べて、地板１０１（第１の固定開口１０６の開口面１０６ａ）から離れている。【００８１】
また、ドーム壁部１０２ａのガイド面１０２ｃにおける周方向複数箇所（第２の固定開口１１２の周囲の複数箇所）には、カムボス部１０８が形成されている。各カムボス部１０８の中心軸ＣＸは、ガイド面１０２ｃの法線方向に延びるように、光軸方向（光軸ＡＸ）に対して傾きθＣを有する。【００８２】
１０３は複数の光量調節羽根（遮光羽根）としての絞り羽根である。各絞り羽根１０３は、地板１０１の第１の固定開口１０６および駆動リング１０２の第２の固定開口１１２の径方向内側に、周囲が遮光された絞り開口（開口径が可変である光通過開口）Ａを形成するための遮光性を有する薄板状の部材である。【００８３】
図１２に示すように、絞り羽根１０３は、絞り開口Ａを形成するための光量調節部（絞り部）としての遮光部１０３ａと、地板１０１および駆動リング１０２に対して回動可能に支持される被支持部１０３ｂと、これら遮光部１０３ａおよび被支持部１０３ｂを接続する中間部１０３ｅとを有する。被支持部１０３ｂには、地板１０１に形成された支持ボス部１０７が挿入される穴部（凹部）１０３ｃが形成されており、絞り羽根１０３は、該支持ボス部１０７と穴部１０３ｃとを中心として地板１０１および駆動リング１０２に対して回動可能である。【００８４】
複数の絞り羽根１０３は、駆動リング１０２のドーム壁部１０２ａのガイド面１０２ｃに対向するように配置されている。遮光部１０３ａは、駆動リング１０２のドーム壁部１０２ａのガイド面１０２ｃとほぼ同じ曲率を持つ曲面形状（例えば、球面形状）に形成されている。このため、絞り羽根１０３が回動するとき、遮光部１０３ａは、ガイド面１０２ｃに沿って、つまりはガイド面１０２ｃによりガイドされながら、第２の固定開口１１２の径方向内側の領域（第１および第２の固定開口１０６，１１２に対向する領域）に進退する方向、すなわち絞り開口の大きさを変化させる方向（以下、開閉方向という）に移動して第１および第２の固定開口１０６，１１２を通過する光の量を調節する。このように、駆動リング１０２のドーム壁部１０２ａは、絞り羽根１０３の回動をガイドする機能を有する。したがって、駆動リング１０２とは別に、上記ガイド機能を有する部材を設ける場合に比べて、部品点数を減少させたり絞り装置１１０の光軸方向での厚みを減少させたりすることができる。【００８５】
さらに、遮光部１０３ａには、駆動リング１０２に設けられたカムボス部１０８が挿入されて係合するカム溝部１０３ｄが形成されている。前述したようにカムボス部１０８の中心軸ＣＸはガイド面１０２ｃの法線方向に延びている。このため、カムボス部１０８は、その中心軸が光軸方向に延びる場合に比べて、カム溝部１０３ｄ内をスムーズに移動して遮光部１０３ａ（絞り羽根１０３）を開閉方向に位置精度良く回動させることができる。なお、遮光部１０３ａを曲面（例えば、球面）として形成する一方、ガイド面１０２ｃを、曲面とせずに、円錐台面としてもよい。【００８６】
また、絞り羽根１０３のうち中間部１０３ｅおよび被支持部１０３ｂ、すなわち少なくとも遮光部１０３ａよりも被支持部１０３ｂ側の部分は、地板１０１に形成された第１の固定開口１０６の開口面１０６ａに対して光軸方向への傾きαを有する。この傾きαは、駆動リング１０２に形成された第２の固定開口１１２や後述するカバー板に形成された第３の固定開口の開口面に対しても同様である。傾きαは９０度を含む角度であり、中間部１０３ｅおよび被支持部１０３ｂに傾きαが与えられることにより、遮光部１０３ａは、被支持部１０３ｂに対して光軸方向に離れて位置する。また、被支持部１０３ｂに形成された穴部１０３ｃの中心軸は、支持ボス部１０７の中心軸ＢＸに一致するように光軸ＡＸに対して傾きを有する。したがって、絞り羽根１０３は、支持ボス部１０７の中心軸が光軸方向に延びる場合に比べて、スムーズに回動することができる。【００８７】
なお、絞り羽根１０３において、遮光部１０３ａよりも被支持部１０３ｂの方が開口面１０６ａに対する光軸方向への傾きが大きい。言い換えれば、遮光部１０３ａの開口面１０６ａに対する光軸方向への傾きは、被支持部１０３ｂの該傾きαよりも小さい。
また、絞り羽根１０３の被支持部１０３ｂから遮光部１０３ａにかけての全体を曲面形状（例えば、球面形状）に形成してもよい。また、絞り羽根１０３の中間部１０３ｅと遮光部１０３ａとを折れ曲がり形状に形成してもよい。【００８８】
図９および図１０において、１０４はカバー板（カバー部材）であり、地板１０１との間に、駆動リング１０２と絞り羽根１０３を収容する羽根室を形成する。カバー板１０４の内周側の部分には、地板１０１側に向かって凹のドーム形状を有するドーム部（カバー部）１０４ａが形成されている。【００８９】
ドーム部１０４ａは、駆動リング１０２のドーム壁部１０２ａとほぼ同じ曲率を持つ曲面形状（例えば、球面形状）に形成されている。ドーム部１０４ａの径方向中央には、開放絞り開口に対応する第３の固定開口１１３が形成されている。光軸方向において、第３の固定開口１１３の開口面の位置は、カバー板１０４のドーム部１０４ａより外周の部分に比べて、地板１０１（第１の固定開口１０６の開口面１０６）から離れている。言い換えれば、カバー板１０４において、ドーム部１０４ａは、その周囲の部分に対して、光軸方向における絞り羽根３の被支持部（１０３ｂ）側から遮光部（１０３ａ）側に突出するように形成されている。【００９０】
カバー板１０４は、その外周の部分において地板１０１にビスにより結合され、地板１０１と一体化される。このため、カバー板１０４も、地板１０１と同様にベース部材として扱うことができる。なお、地板１０１にドーム部１０４ａと同様なドーム部を形成するとともに、カバー板１０４のドーム部１０４ａをなくす等して、地板１０１とカバー板１０４の位置を入れ替えてもよい。【００９１】
１０５はステッピングモータ等のアクチュエータを含む駆動部であり、その出力軸には、駆動リング１０２の被駆動ギア１０２ｂに噛み合う駆動ギア１０５ａが取り付けられている。駆動部１０５は、モータ地板１１１およびカバー板１０４を介して地板１０１に固定される。ここで、駆動部１０５は、地板１０１およびカバー板１０４を含むベース部材のうちドーム部１０４ａの周囲の部分に配置されている。言い換えれば、駆動部１０５は、ドーム部１０４ａがその周囲の部分に対して突出する方向と同じ方向に該周囲の部分から突出するように設けられている。このようにドーム部１０４ａと駆動部１０５がベース部材から突出する方向を同じにすることにより、後述する実施例７のようにこの絞り装置をカメラ等の光学機器に搭載した場合に、光学機器内のスペース（特に、ドーム部１０４ａと駆動部１０５が配置された側とは反対側のスペース）を有効に使用することができ、光学機器の小型化を図ることができる。【００９２】
駆動部１０５に通電されて駆動ギア１０５ａが回転すると、図１３（ａ），（ｂ）に示すように、その回転力が被駆動ギア１０２ｂを介して駆動リング１０２に伝達され、これを光軸ＡＸ回りで地板１０１に対して回転させる。そして、前述したように、遮光部１０３ａに形成されたカム溝部１０３ｄ内で駆動リング１０２に設けられたカムボス部１０８が移動することにより、絞り羽根１０３は、被支持部１０３ｂの穴部１０３ｃとこれに挿入された支持ボス部１０７を中心として開閉方向に回動される。【００９３】
なお、本実施例では、地板１０１に形成された支持ボス部１０７（の中心軸）と駆動リング１０２に形成されたカムボス部１０８（の中心軸）がそれぞれ光軸方向に対して傾いている場合について説明した。しかし、支持ボス部１０７およびカムボス部１０８は光軸方向に平行に延びるように形成されてもよく、絞り羽根１０３（被支持部１０３ｂ）が光軸方向に対して傾いた仮想の軸回りで回動すればよい。【００９４】
また、地板１０１にカバー板１０４のドーム部１０４ａと同様なドーム部を形成するとともに、そこにカムボス部１０８を形成し、ドーム部における固定開口１１２の径方向外側に駆動リング１０２を回動可能に配置するとともに、そこに支持ボス部１０７を形成してもよい。そして、絞り羽根１０３に形成された穴部１０３ｃに駆動リング１０２に形成された支持ボス部１０７を挿入し、カム溝部１０３ｄに地板１０１に形成されたカムボス部１０８を挿入するようにしてもよい。すなわち、絞り羽根３の穴部１０３ｃとカム溝部１０３ｄに挿入される支持ボス部１０７とカムボス部１０８は、それぞれの相対位置が変化するように構成されれば、どちらが地板１０１に形成され、どちらが駆動リング１０２に形成されてもよい。【００９５】
また、本実施例では、地板１０１に形成された支持ボス部１０７と駆動リング１０２に形成されたカムボス部１０８をそれぞれ、絞り羽根１０３に形成された穴部１０３ｃとカム溝部１０３ｄに挿入する場合について説明した。しかし、絞り羽根１０３に支持ボス部１０７に相当するボス部とカムボス部１０８に相当するボス部を形成し、これらを地板１０１に形成された穴部と駆動リング１０２に形成されたカム溝部に挿入するようにしてもよい。【００９６】
以上のように構成された絞り装置１１０では、前述したように、各絞り羽根１０３の中間部１０３ｅおよび被支持部１０３ｂが、光軸方向における一方の側への傾きαを有する。さらに、駆動リング１０２が、該一方の側に凹んだ形状（ドーム壁部１０２ａ）を有する。これにより、図１１に示すように、複数の絞り羽根１０３および駆動リング１０２よりも径方向の内側に、第１〜第３の固定開口（光通過開口）１１２，１１３，１２８に面した凹空間Ｓが形成される。【００９７】
凹空間Ｓは、光軸方向において複数の絞り羽根１０３の被支持部（１０３ｂ）側から遮光部（１０３ａ）側に奥行きを有する空間である。凹空間Ｓの被支持部側の端は、地板１０１に形成された第１の固定開口１０６にて開口している。一方、凹空間Ｓの遮光部側の端は、駆動リング１０２に形成された第２の固定開口１１２（さらには絞り開口Ａおよびカバー板１０４に形成された第３の固定開口１１３）にて開口している。すなわち、凹空間Ｓは、第１〜第３の固定開口１０６，１１２，１１３に面している。【００９８】
凹空間Ｓには、図１１に示すように、レンズ５１の少なくとも一部を入り込ませることが可能である。すなわち、本実施例によれば、絞り羽根１０３を開放状態まで開くことなく、絞り羽根１０３よりも径方向内側に、レンズ５１の少なくとも一部を入り込ませることが可能な凹空間Ｓを形成することができる。【００９９】
このとき、駆動リング１０２にドーム壁部１０２ａを形成したことで、駆動リングを平板リング状に形成する場合に比べて、凹空間Ｓにおけるレンズ５１が挿入される開口の径を大きくすることができる。つまり、凹空間Ｓに挿入可能なレンズ径を大きくすることができる。【０１００】
凹空間Ｓは、その外周が複数の絞り羽根１０３の羽根面により囲まれた空間と言うこともできるが、本実施例では、複数の絞り羽根１０３の羽根面が凹空間Ｓに直接面しておらず、絞り羽根１０３の羽根面と凹空間Ｓとの間には、凹空間Ｓを囲む駆動リング１０２のドーム壁部１０２ａが介在している。なお、ドーム壁部１０２ａは必ずしも必要ではなく、径方向に放射状に延びるレール等によって絞り羽根１０３を安定して開閉方向にガイドすることができれば、ドーム壁部１０２ａをなくして絞り羽根１０３の羽根面が凹空間Ｓに直接面するようにしてもよい。【０１０１】
また、実施例１にて図８を用いて説明したのと同様に、本実施例でも、駆動リング１０２に設けられたカムボス部１０８における一方の側（ドーム壁部１０２ａおよび絞り羽根１０３が凸となっている側）の先端が、絞り羽根１０３の回動位置にかかわらず、絞り部としての遮光部１０３ａにおける該一方の側の先端よりも該一方の側とは反対側に退避している。
【実施例４】
【０１０２】
図１４には、本発明の実施例４である光量調節装置としての絞り装置を示している。この図において、実施例３と共通する構成要素については、実施例３と同符号を付して説明に代える。実施例３では、複数の遮光羽根を回動させて絞り開口を変化させることで光量を調節する構成を採用しているのに対して、本実施例では、光量調節部がＮＤフィルタ部として形成された１枚のＮＤ羽根（光量調節羽根）を回動させることで光量を調節する。【０１０３】
本実施例の地板１０１には、１つの支持ボス部（凸部）１０７が形成されている。支持ボス部１０７の中心軸は、実施例３と同様に、光軸方向に対して傾きを有する。また、本実施例の駆動リング１０２のガイド面１０２ｃ（ドーム部１０２ａ）には、１つのカムボス部１０８が形成されている。このカムボス部１０８の中心軸は、実施例３と同様に、ガイド面１０２ｃの法線方向に延びるように光軸方向に対して傾きを有する。これら地板１０１および駆動リング１０２については、後述する実施例５，６においても同じである。【０１０４】
ＮＤ羽根１２３は、ＮＤフィルタ部１２３ａと、地板１０１および駆動リング１０２に対して回動可能に支持される被支持部１２３ｂと、これらＮＤフィルタ部１２３ａおよび被支持部１２３ｂを接続する中間部とを有する。被支持部１２３ｂには、地板１０１に形成された支持ボス部１０７が挿入される穴部（凹部）１２３ｃが形成されており、ＮＤ羽根１２３は、該支持ボス部１０７と穴部１２３ｃとを中心として地板１０１および駆動リング１０２に対して回動可能である。また、ＮＤ羽根１２３には、駆動リング１０２に設けられたカムボス部１０８が挿入されて係合するカム溝部１２３ｄが形成されている。このため、駆動リング１０２が回転すると、図１４（ａ），（ｂ）に示すように、カムボス部１０８がカム溝部１２３ｄに沿って移動しながらＮＤ羽根１２３が回動される。【０１０５】
ＮＤ羽根１２３は、図１４（ａ）に示すようにＮＤフィルタ部１２３ａによって地板１０１および駆動リング１０２に形成された固定開口（図では駆動リング１０２の第２の固定開口１１２のみを示す）の全体を覆う位置と、図１４（ｂ）に示すようにＮＤフィルタ部１２３ａが該固定開口に対向する領域から完全に退避する位置との間で回動して、該固定開口を通過する光の量を調節する。【０１０６】
ＮＤフィルタ部１２３ａは、駆動リング１０２のドーム壁部１０２ａのガイド面１０２ｃとほぼ同じ曲率を持つ曲面形状（例えば、球面形状）に形成されている。このため、ＮＤ羽根１２３が回動するとき、ＮＤフィルタ部１２３ａは、ガイド面１１２ｃに沿って（ガイドされながら）移動する。【０１０７】
そして、本実施例でも、ＮＤ羽根１２３の被支持部１２３ｂ（および中間部）が有する、固定開口の開口面に対する光軸方向への傾きによって、ＮＤ羽根１２３よりも径方向内側に、光軸方向において被支持部（１２３ｂ）側からＮＤフィルタ部（１２３ａ）側に奥行きを有し、各固定開口に面した凹空間が形成される。しかも、駆動リング１０２にドーム壁部１０２ａを形成したことで、駆動リングを平板リング状に形成する場合に比べて、凹空間Ｓにおけるレンズが挿入される開口の径を大きくすることができる。このことは、後述する実施例５，６においても同じである。【０１０８】
なお、図示していないが、本実施例の絞り装置も、実施例３のカバー板１０４と同様に、地板１０１との間に駆動リング１０２とＮＤ羽根１２３を収容する羽根室を形成するカバー板が設けられている。このことは、後述する実施例５，６においても同じである。【０１０９】
また、本実施例でも、駆動リング１０２に設けられたカムボス部１０８における一方の側（ドーム壁部１０２ａおよびＮＤ羽根１２３が凸となっている側）の先端が、ＮＤ羽根１０３の回動位置にかかわらず、絞り部としての遮光部１０３ａにおける該一方の側の先端よりも該一方の側とは反対側に退避している。このことも、後述する実施例５，６においても同じである。
【実施例５】
【０１１０】
図１５には、本発明の実施例５である光量調節装置としての絞り装置を示している。この図において、実施例３と共通する構成要素については、実施例３と同符号を付して説明に代える。実施例３では、複数の絞り羽根を回動させて絞り開口を変化させて光量を調節する構成を採用しているのに対して、本実施例では、大きさが固定である絞り開口を有する１枚の絞り羽根を回動させることで光量を調節する。【０１１１】
絞り羽根１３３は、地板１０１および駆動リング１０２に形成された固定開口（図では駆動リング１０２の第２の固定開口１１２のみを示す）よりも大きさが小さい小絞り開口１３３ｆを有する光量調節部としての絞り部１３３ａと、地板１０１および駆動リング１０２に対して回動可能に支持される被支持部１３３ｂと、これら絞り部１３３ａおよび被支持部１３３ｂを接続する中間部とを有する。被支持部１３３ｂには、地板１０１に形成された支持ボス部１０７が挿入される穴部（凹部）１３３ｃが形成されており、絞り羽根１３３は、該支持ボス部１０７と穴部１３３ｃとを中心として地板１０１および駆動リング１０２に対して回動可能である。【０１１２】
また、絞り羽根１３３には、駆動リング１０２に設けられたカムボス部１０８が挿入されて係合するカム溝部１３３ｄが形成されている。このため、駆動リング１０２が回転すると、図１５（ａ），（ｂ）に示すように、カムボス部１０８がカム溝部１３３ｄに沿って移動しながら絞り羽根１３３が回動される。絞り羽根１３３は、図１５（ａ）に示すように、絞り部１３３ａの小絞り開口１３３ｆが地板１０１および駆動リング１０２に形成された光通過開口である固定開口に対向する位置に配置される位置と、図１５（ｂ）に示すように絞り部１３３ａが該固定開口に対向する領域から完全に退避する位置との間で回動して、該固定開口を通過する光の量を調節する。【０１１３】
絞り部１３３ａは、駆動リング１２のドーム壁部１０２ａのガイド面２ｃとほぼ同じ曲率を持つ曲面形状（例えば、球面形状）に形成されている。このため、絞り羽根１３３が回動するとき、絞り部１３３ａは、ガイド面１０２ｃに沿って（ガイドされながら）移動する。【０１１４】
そして、本実施例でも、絞り羽根１３３の被支持部１３３ｂ（および中間部）が有する、固定開口の開口面に対する光軸方向への傾きによって、絞り羽根１３３よりも径方向内側に、光軸方向において被支持部（１３３ｂ）側から絞り部（１３３ａ）側に奥行きを有し、各固定開口に面した凹空間が形成される。
【実施例６】
【０１１５】
図１６には、本発明の実施例６である光量調節装置としての絞り装置を示している。この図において、実施例３と共通する構成要素については、実施例３と同符号を付して説明に代える。本実施例では、１枚の絞り羽根を回動させることで光量を調節する。【０１１６】
絞り羽根１４３は、絞り開口を形成するための遮光部１４３ａと、地板１０１および駆動リング１０２に対して回動可能に支持される被支持部１４３ｂと、これら遮光部１４３ａおよび被支持部１４３ｂを接続する中間部とを有する。被支持部１４３ｂには、地板１０１に形成された支持ボス部１０７が挿入される穴部（凹部）１４３ｃが形成されており、絞り羽根１４３は、該支持ボス部１０７と穴部１４３ｃとを中心として地板１０１および駆動リング１０２に対して回動可能である。【０１１７】
また、絞り羽根１４３には、駆動リング１０２に設けられたカムボス部１０８が挿入されて係合するカム溝部１４３ｄが形成されている。このため、駆動リング１０２が回転すると、図１６（ａ），（ｂ）に示すように、カムボス部１０８がカム溝部１４３ｄに沿って移動しながら絞り羽根１４３が回動される。絞り羽根１４３は、図１６（ａ）に示すように、遮光部１４３ａが地板１０１および駆動リング１０２に形成された光通過開口である固定開口（図では駆動リング１０２の第２の固定開口１１２のみを示す）を覆う位置と、図１６（ｂ）に示すように遮光部１４３ａが該固定開口に対向する領域から完全に退避する位置との間で回動して、該固定開口を通過する光の量を調節する。【０１１８】
遮光部１４３ａは、駆動リング１０２のドーム壁部１０２ａのガイド面１０２ｃとほぼ同じ曲率を持つ曲面形状（例えば、球面形状）に形成されている。このため、絞り羽根１４３が回動するとき、遮光部１４３ａは、ガイド面１０２ｃに沿って（ガイドされながら）移動する。【０１１９】
そして、本実施例でも、絞り羽根１４３の被支持部１４３ｂ（および中間部）が有する、固定開口の開口面に対する光軸方向への傾きによって、絞り羽根１４３よりも径方向内側に、光軸方向において被支持部（１４３ｂ）側から遮光部（１４３ａ）側に奥行きを有し、各固定開口に面した凹空間が形成される。
【実施例７】
【０１２０】
上記実施例３〜６にて説明した絞り装置１１０が搭載された光学機器としてのカメラ（ビデオカメラ又はスチルカメラ）を図１７に示す。実施例２でも説明した通り、５０はカメラ本体であり、５１，５３は撮影光学系を構成する複数のレンズである。５２は撮像素子である。５４はＣＰＵ等により構成されるコントローラであり、絞り装置１１０（駆動部１０５）や撮像素子５２の動作を制御する。なお、絞り装置１１０が、シャッタ機能を有していてもよい。【０１２１】
実施例３でも説明したように、図１１に示した絞り装置１１０の凹空間Ｓには、該絞り装置１１０に対して光軸方向にて隣接配置されたレンズ５１の少なくとも一部（凸面）が入り込むことができる。なお、図１１には、凹空間Ｓへのレンズ５１の入り口（第１の固定開口１０６）が像面方向に向かって開口し、絞り装置１１０に対して像面方向に隣接配置されたレンズ５１が凹空間Ｓに入り込んでいる様子を示している。凹空間Ｓへのレンズ５１の入り口を被写体方向に向け、絞り装置１１０に対して被写体方向に隣接配置されたレンズ５３が凹空間Ｓに入り込むようにしてもよい。【０１２２】
凹空間Ｓへのレンズ５１の入り口となる開口の大きさ（内径）は、駆動リング１０２にドーム壁部１０２ａを形成することを前提とすれば、複数の絞り羽根１０３の被支持部１０３ｂ（支持ボス部１０７）を通る円の径（又は該円に対応する第１の固定開口１０６の内径）によって決まり、複数の絞り羽根１０３により形成される絞り開口Ａの大きさには依存しない。このため、絞り開口Ａを絞り込んだ状態でも、つまりは絞り開口Ａを開放開口径に設定したりそれよりもさらに拡げたりすることなく、凹空間Ｓにレンズ５１を入り込ませることができる。したがって、絞り開口Ａの最大径をレンズ５１の外径に合わせて大きくする必要がなく、内部の空間にレンズを入り込ませることが可能な絞り装置において径方向の大型化を回避することができる。【０１２３】
また、図１１には、絞り装置１１０のカバー板１０４のドーム部１０４ａの被写体側の凸面と絞り装置１１０に対して被写体方向に隣接配置されたレンズ５３の像面側の凹面とが近接している様子も示している。このように、絞り装置１１０の絞り羽根１０３を、レンズ５１の被写体側の凸面とレンズ５３の像面側の凹面との狭い空間の間に配置することも可能である。【０１２４】
さらに、図１１に示すように絞り装置１１０とその両側のレンズ５１，５３とが近接した状態で撮影光学系を保持するレンズ鏡筒がカメラ本体内に収納（沈胴）されるようにしてもよい。【０１２５】
また、絞り装置１１０は、図１７に示したカメラだけでなく、交換レンズ等の他の光学機器にも搭載することができる。【０１２６】
以上説明した各実施例は代表的な例にすぎず、本発明の実施に際しては、各実施例に対して種々の変形や変更が可能である。
【産業上の利用可能性】
【０１２７】
小型でありながらも、内部にレンズを入り込ませることが可能な光量調節装置およびこれを搭載したカメラ等の光学機器を提供できる。
【符号の説明】
【０１２８】
１  地板
２  絞り駆動リング
３  絞り羽根
４  絞りカバー部材
５  絞り駆動部
７  絞り支持ボス部
８  カムボス部
１０  絞りシャッタ装置
２１，２２  シャッタ羽根
２６，２７  シャッタ支持ボス部
２４  シャッタ駆動部
２４ａ  シャッタ駆動ピン
５１，５３  レンズ
１０１  地板
１０２  駆動リング
１０３  絞り羽根
１０４  カバー部材
１０５  駆動部
１０７  支持ボス部
１０８  カムボス部
１１０  絞り装置
【図１】
2013005439.tif 000003
【図２】
2013005439.tif 000004
【図３】
2013005439.tif 000005
【図４】
2013005439.tif 000006
【図５】
2013005439.tif 000007
【図６】
2013005439.tif 000008
【図７】
2013005439.tif 000009
【図８】
2013005439.tif 000010
【図９】
2013005439.tif 000011
【図１０】
2013005439.tif 000012
【図１１】
2013005439.tif 000013
【図１２】
2013005439.tif 000014
【図１３】
2013005439.tif 000015
【図１４】
2013005439.tif 000016
【図１５】
2013005439.tif 000017
【図１６】
2013005439.tif 000018
【図１７】
2013005439.tif 000019
【国際調査報告】
2013005439.tif 000020
2013005439.tif 000021
2013005439.tif 000022
2013005439.tif 000023